(57)【要約】【課題】  安全性、携帯性、利便性、経済性、及び、演出効果を備える電子収納箱、電子収納箱開閉方法、及び、プログラムを提供することを目的とする。【解決手段】  電子収納箱１は、ＰＣ２１から暗号設定要求信号を受信した場合に、暗号設定要求信号に含まれる暗号情報を記憶する。電子収納箱１は、ＰＣ２１から開閉要求信号を受信した場合に、開閉要求信号に含まれる暗号情報とキー記憶部１０３に記憶されている暗号情報とが一致するか否かを判定する。電子収納箱１は、暗号情報同士が一致していると判定された場合に、蓋１２の開閉状態に応じて、蓋１２を開状態と閉状態との何れか一方に遷移させる。【選択図】  図１
2005264468.tif 000002
【特許請求の範囲】
【請求項１】
内部に収容部を有し、かつ、開口部を有する本体と、
閉状態においては、前記開口部を覆い、かつ、ロック機構により前記開口部を覆わない状態への遷移が規制されており、
開状態においては、前記開口部を覆わない状態であり、かつ、ロック機構による規制が解除されている蓋と
を備えた電子収納箱において、
外部装置から暗号設定要求信号を受信した場合に、該暗号設定要求信号に含まれる暗号情報を記憶する暗号記憶手段と、
外部装置から開閉要求信号を受信した場合に、該開閉要求信号に含まれる暗号情報と前記暗号記憶手段に記憶されている暗号情報とが一致するか否かを判定する判定手段と、
前記判定手段により前記暗号情報同士が一致していると判定された場合に、前記蓋の開閉状態に応じて、該蓋を開状態と閉状態との何れか一方に遷移させる開閉手段と
を備えることを特徴とする電子収納箱。
【請求項２】
前記開閉手段は、
前記蓋が閉状態にある場合には、前記ロック機構による規制を解除し、かつ、その解除後に前記蓋を駆動することにより開状態へ遷移させ、
前記蓋が開状態にある場合には、前記蓋を前記開口部を覆う方向へ駆動し、かつ、その駆動後に前記ロック機構による規制を行うことにより閉状態へ遷移させる
ことを特徴とする請求項１に記載の電子収納箱。
【請求項３】
前記外部装置は、パーソナルコンピュータと移動通信端末とゲーム機器とのうちの何れか一であることを特徴とする請求項１又は２に記載の電子収納箱。
【請求項４】
前記外部装置との間に接続されるケーブルを介して供給される電力によって動作することを特徴とする請求項１から３の何れか１項に記載の電子収納箱。
【請求項５】
前記開閉手段は、
モータの回転速度を低下させつつ、該モータの回転力を伝達するギアと、
前記ギアの回転力を往復運動力に変換して伝達するスライド軸と、
前記スライド軸によって伝達される往復運動力の角度を変更する角度変更軸と、
前記角度変更軸に一端が接続され、該角度変更軸によって角度が変更された往復運動力を回転運動に変更するリンク機構と、
前記リンク機構の他端と接続され、該リンク機構によって変換された回転運動力を前記蓋の回動軸に伝達するクラッチとを含む
ことを特徴とする請求項１から４の何れか１項に記載の電子収納箱。
【請求項６】
前記クラッチは、前記リンク機構の他端と接続される第１のクラッチ部と、前記回動軸と連動して回動する第２のクラッチ部とを含み、
前記第１のクラッチ部と前記第２のクラッチ部とには、Ｖ字型の歯を複数備え、互いに噛合う噛合部が設けられ、
前記開閉手段は、
前記第２のクラッチ部と連結され、かつ、前記第１のクラッチ部と前記第２のクラッチ部とにそれぞれ設けられた噛合部同士が噛合い状態となるよう付勢する弾性体をさらに含み、
前記蓋から前記回動軸を介して前記第２のクラッチ部に動力が加えられた場合に、前記噛合部同士の噛合い状態が解除されるように、前記Ｖ字型の傾斜が調整されていることを特徴とする
請求項５に記載の電子収納箱。
【請求項７】
内部に収容部を有し、かつ、開口部を有する本体と、
閉状態においては、前記開口部を覆い、かつ、ロック機構により前記開口部を覆わない状態への遷移が規制されており、
開状態においては、前記開口部を覆わない状態であり、かつ、ロック機構による規制が解除されている蓋と
を備えた電子収納箱について、前記蓋の開閉状態を遷移させる電子収納箱開閉方法において、
外部装置から暗号設定要求信号を受信した場合に、該暗号設定要求信号に含まれる暗号情報を記憶する暗号記憶ステップと、
外部装置から開閉要求信号を受信した場合に、該開閉要求信号に含まれる暗号情報と、前記暗号記憶ステップにおいて記憶された暗号情報とが一致するか否かを判定する判定ステップと、
前記判定ステップにおいて前記暗号情報同士が一致していると判定された場合に、前記蓋の開閉状態を判定する開閉状態判定ステップと、
前記開閉状態判定ステップにおいて前記蓋が開状態にあると判定された場合には、前記蓋を閉状態に遷移させ、
前記開閉状態判定ステップにおいて前記蓋が閉状態にあると判定された場合には、前記蓋を開状態に遷移させる開閉状態遷移ステップと
を有することを特徴とする電子収納箱開閉方法。
【請求項８】
コンピュータを、
外部装置に備えられた蓋を、開く方向に駆動させるための暗号情報を記憶する暗号記憶手段、
ゲームが実行されることにより出力された、該ゲームの進行状況を表す進行状況情報を管理するゲーム進行状況管理手段、
前記ゲーム進行状況管理手段により管理されている進行状況情報が、予め定められた所定の状況を表しているか否かを判定する進行状況判定手段、及び、
前記進行状況判定手段により、前記進行状況情報が予め定められた所定の状況を表していると判定された場合には、前記外部装置の蓋を開く方向に駆動させるために、前記暗号記憶手段に記憶されている暗号情報を該外部装置に出力する暗号情報出力手段
として機能させるためのプログラム。
【発明の詳細な説明】
【技術分野】
【０００１】
本発明は、暗号情報の入力によって蓋の開閉を行う電子収納箱、電子収納箱開閉方法、及び、プログラムに関する。
【背景技術】
【０００２】
従来より、鍵を用いて蓋が開かないように蓋をロックすることが可能な収納箱が利用されている。このような収納箱には、例えば、貯金箱や金庫やスーツケースが挙げられる。このような収納箱は、鍵を用いなければ蓋が開かないため安全性が高く、広く利用されてきている。
ところで、物理的な鍵を使用せずにロックを開施錠する技術は、例えば、以下に示す特許文献１，２，３に開示されている。
【０００３】
特許文献１には、ワープロ等の電子機器にシークレットコードを入力することにより、電子機器に取り付けられた箱のロックを解除する技術が記載されている。また、特許文献２には、私書箱に取り付けられた通信インターフェースより電子鍵を示す情報を入力することにより、私書箱のロックを解除する技術が記載されている。また、特許文献３には、携帯電話機から解錠信号を送信し、什器の施錠を解除する技術が記載されている。
【特許文献１】特開平５−２８７９４４号公報（要約）
【特許文献２】特開２００２−３４２４２１号公報（要約）
【特許文献３】特開２００３−４１８２２号公報（要約）
【発明の開示】
【発明が解決しようとする課題】
【０００４】
上述した特許文献１，２，３に記載されている技術を利用することにより、物理的な鍵を用いずに、パスワード等の暗号情報を用いて電気的に収納箱の蓋のロックを解除することができる。
ところで、鍵付の収納箱に、さらなる安全性と、携帯性と、利便性と、外観の美しさと、蓋が開く際に何らかの演出効果とが備わっている場合には、当該収納箱は、安全に物を収納するという用途以外にも、もっと広い様々な用途に利用される可能性がある。このような収納箱を開発することで、新たな市場開拓を行うことが可能となる。
【０００５】
例えば、このような収納箱は、贈主が贈り物を入れて受取人に渡すための箱として利用される可能性がある。この場合に、収納箱の蓋をが、物理的な鍵を錠の孔にさし入れて蓋を開閉するような構造であった場合には、受取人が鍵をなくしたり、他人に収納箱と鍵との両方を盗まれて蓋を開けられたりする可能性があり危険であるが、特許文献１，２，３に記載されている技術を用いて電気的に蓋のロックを解施錠するようにすれば、安全性を高めることができる。
【０００６】
また、収納箱の蓋のロックが解除されたときに、手動で蓋を開けるのではなく、蓋がゆっくりと開方向に動くような制御を行えるようにすれば、便利であると共に、演出効果を高めることができる。但し、蓋を開閉するための構造を複雑にした場合にはコスト高となるため、簡易な構造で実現することが必要がある。
本発明は上記課題を解決することが可能な電子収納箱、電子収納箱開閉方法、及び、プログラムを提供することを目的とする。
【課題を解決するための手段】
【０００７】
上記課題を解決するために、請求項１に記載の発明は、内部に収容部を有し、かつ、開口部を有する本体と、閉状態においては、前記開口部を覆い、かつ、ロック機構により前記開口部を覆わない状態への遷移が規制されており、開状態においては、前記開口部を覆わない状態であり、かつ、ロック機構による規制が解除されている蓋とを備えた電子収納箱において、外部装置から暗号設定要求信号を受信した場合に、該暗号設定要求信号に含まれる暗号情報を記憶する暗号記憶手段と、外部装置から開閉要求信号を受信した場合に、該開閉要求信号に含まれる暗号情報と前記暗号記憶手段に記憶されている暗号情報とが一致するか否かを判定する判定手段と、前記判定手段により前記暗号情報同士が一致していると判定された場合に、前記蓋の開閉状態に応じて、該蓋を開状態と閉状態との何れか一方に遷移させる開閉手段とを備えることを特徴とする電子収納箱を提供する。
【０００８】
請求項１に記載の発明によれば、電子収納箱は、暗号情報同士が一致していると判定された場合に、蓋の開閉状態に応じて蓋を開状態と閉状態との何れか一方に遷移させるため、暗号情報同士の一致を確認した後に、電子収納箱の蓋の開閉を制御することが可能となる。このため、電子収納箱の安全性、利便性、及び、演出効果を高めることができる。また、判定時の蓋の開閉状態に応じて蓋を駆動する方向を制御するようにしたために、電子収納箱の駆動の仕組みや構造が複雑になるのを防ぐことができ、経済性にも優れている。
【０００９】
請求項２に記載の発明は、請求項１に記載の電子収納箱において、前記開閉手段は、前記蓋が閉状態にある場合には、前記ロック機構による規制を解除し、かつ、その解除後に前記蓋を駆動することにより開状態へ遷移させ、前記蓋が開状態にある場合には、前記蓋を前記開口部を覆う方向へ駆動し、かつ、その駆動後に前記ロック機構による規制を行うことにより閉状態へ遷移させることを特徴とする。
【００１０】
請求項２に記載の発明によれば、開閉手段は、現在の蓋の状態が開状態にあるか閉状態にあるかによって、ロック機構による規制と蓋の駆動方向とを制御するために、電子収納箱の蓋を駆動する仕組みや構造が複雑になるのを防ぐことができる。また、開閉手段は、蓋の開状態と閉状態との遷移を制御することができるため、ユーザは手動で蓋を開閉する必要がなく、ユーザにとって便利であると共に演出効果を高めることができる。
【００１１】
請求項３に記載の発明は、請求項１又は２に記載の電子収納箱において、前記外部装置は、パーソナルコンピュータと移動通信端末とゲーム機器とのうちの何れか一であることを特徴とする。
請求項３に記載の発明によれば、外部装置は、パーソナルコンピュータと移動通信端末とゲーム機器とのうちの何れか一であるため、ユーザは、パーソナルコンピュータや移動通信端末に暗号情報を入力することにより、パーソナルコンピュータや移動通信端末から電子収納箱に対して、暗号設定要求信号や開閉要求信号を送信することができる。これにより、ユーザは、パーソナルコンピュータや移動通信端末を用いて、電子収納箱に暗号情報を設定したり電子収納箱の蓋の開閉を行うことができる。また、外部装置がゲーム機器である場合には、ゲーム機器から電子収納箱に開閉要求信号を送信することができるため、例えば、ゲーム機器で実行されているゲームの状況に応じて、電子収納箱を開閉することができる。
【００１２】
請求項４に記載の発明は、請求項１から３の何れか１項に記載の電子収納箱において、前記外部装置との間に接続されるケーブルを介して供給される電力によって動作することを特徴とする。
請求項４に記載の発明によれば、電子収納箱を動作させるための電力は、外部装置と接続されるケーブルを介して供給されるために、電子収納箱自体に電力供給用のプラグや電池を取り付けるための乾電池装着部を設ける必要がなく、簡易な構造とすることができる。ユーザにとっても、接続作業や取付作業の手間が省けて便利である。また、電池から電力を供給する必要がなくなるため、電池切れとなって電子収納箱の動作が停止するのを防ぐことができる。
【００１３】
請求項５に記載の発明は、請求項１から４の何れか１項に記載の電子収納箱において、前記開閉手段は、モータの回転速度を低下させつつ、該モータの回転力を伝達するギアと、前記ギアの回転力を往復運動力に変換して伝達するスライド軸と、前記スライド軸によって伝達される往復運動力の角度を変更する角度変更軸と、前記角度変更軸に一端が接続され、該角度変更軸によって角度が変更された往復運動力を回転運動に変更するリンク機構と、前記リンク機構の他端と接続され、該リンク機構によって変換された回転運動力を前記蓋の回動軸に伝達するクラッチとを含むことを特徴とする。
請求項５に記載の発明によれば、開閉手段は、ギアによりモータの回転速度を低下させて、スライド軸、角度変更軸、リンク機構、弾性体、及び、クラッチを介して、回転力を蓋の回動軸に伝達するため、ゆっくりと蓋を開閉することができる。
【００１４】
請求項６に記載の発明は、請求項５に記載の電子収納箱において、前記クラッチは、前記リンク機構の他端と接続される第１のクラッチ部と、前記回動軸と連動して回動する第２のクラッチ部とを含み、前記第１のクラッチ部と前記第２のクラッチ部とには、Ｖ字型の歯を複数備え、互いに噛合う噛合部が設けられ、前記開閉手段は、前記第２のクラッチ部と連結され、かつ、前記第１のクラッチ部と前記第２のクラッチ部とにそれぞれ設けられた噛合部同士が噛合い状態となるよう付勢する弾性体をさらに含み、前記蓋から前記回動軸を介して前記第２のクラッチ部に動力が加えられた場合に、前記噛合部同士の噛合い状態が解除されるように、前記Ｖ字型の傾斜が調整されていることを特徴とする。
【００１５】
請求項６に記載の発明によれば、蓋から回動軸を介して第２のクラッチ部に動力が加えられた場合に、噛合部同士の噛合い状態が解除されるようにＶ字型の傾斜が調整されているため、蓋に力が加えられた場合に、第１のクラッチ部やリンク機構に動力を伝達することなく、蓋を回動させることができる。このため、クラッチやリンク機構に大きな衝撃が加わり破損するのを防ぐことができる。
【００１６】
請求項７に記載の発明は、内部に収容部を有し、かつ、開口部を有する本体と、閉状態においては、前記開口部を覆い、かつ、ロック機構により前記開口部を覆わない状態への遷移が規制されており、開状態においては、前記開口部を覆わない状態であり、かつ、ロック機構による規制が解除されている蓋とを備えた電子収納箱について、前記蓋の開閉状態を遷移させる電子収納箱開閉方法において、外部装置から暗号設定要求信号を受信した場合に、該暗号設定要求信号に含まれる暗号情報を記憶する暗号記憶ステップと、外部装置から開閉要求信号を受信した場合に、該開閉要求信号に含まれる暗号情報と、前記暗号記憶ステップにおいて記憶された暗号情報とが一致するか否かを判定する判定ステップと、前記判定ステップにおいて暗号情報同士が一致していると判定された場合に、前記蓋の開閉状態を判定する開閉状態判定ステップと、前記開閉状態判定ステップにおいて前記蓋が開状態にあると判定された場合には、前記蓋を閉状態に遷移させ、前記開閉状態判定ステップにおいて前記蓋が閉状態にあると判定された場合には、前記蓋を開状態に遷移させる開閉状態遷移ステップとを有することを特徴とする電子収納箱開閉方法を提供する。
請求項７に記載の電子収納箱開閉方法によれば、電子収納箱は、暗号情報同士が一致している場合にのみ、蓋の開閉状態を制御するため、安全性を保ちながら蓋の開閉状態を制御することができる。このため、電子収納箱を利用するユーザは、安全かつ便利であると共に、蓋が自動的に開閉するのを楽しむことができる。
【００１７】
請求項８に記載の発明は、コンピュータを、外部装置に備えられた蓋を、開く方向に駆動させるための暗号情報を記憶する暗号記憶手段、ゲームが実行されることにより出力された、該ゲームの進行状況を表す進行状況情報を管理するゲーム進行状況管理手段、前記ゲーム進行状況管理手段により管理されている進行状況情報が、予め定められた所定の状況を表しているか否かを判定する進行状況判定手段、及び、前記進行状況判定手段により、前記進行状況情報が予め定められた所定の状況を表していると判定された場合には、前記外部装置の蓋を開く方向に駆動させるために、前記暗号記憶手段に記憶されている暗号情報を該外部装置に出力する暗号情報出力手段として機能させるためのプログラムを提供する。
【００１８】
請求項８に記載の発明によれば、プログラムは、コンピュータを、暗号記憶手段、ゲーム進行状況管理手段、進行状況判定手段、及び、暗号情報出力手段として機能させるために、コンピュータは、ゲームの進行状況が予め定められた所定の状況となった場合に、電子収納箱等の外部装置に暗号情報を出力することにより、外部装置の蓋を開状態に遷移させることができる。これにより、ユーザは、ゲームの進行状況に応じて、外部装置の内部に収納されている景品等の物を取り出すことができる。
【発明の効果】
【００１９】
本発明によれば、電子収納箱は、暗号情報同士が一致していると判定された場合に、蓋を開状態と閉状態との何れか一方に遷移させるようにしたため、安全に電子収納箱の蓋の開閉状態を制御することが可能となり、ユーザにとって便利であるとともに演出効果を高めることができる。また、判定時の蓋の開閉状態に応じて蓋の駆動方向を制御するようにしたために、電子収納箱の蓋の駆動の仕組みや構造が複雑になるのを防ぐことができ、経済性にも優れている。
【発明を実施するための最良の形態】
【００２０】
次に、図面を参照しながら、本発明を実施するための最良の形態について説明する。なお、以下の説明において参照する各図においては、他の図と同等部分に同一符号が付されている。
（Ａ．第１の実施の形態）
［Ａ−１．構成］
［Ａ−１−１．全体構成］
図１は、本発明の第１の実施の形態に係る収納箱開閉システムの全体構成を示すブロック図である。同図に示すように、収納箱開閉システムは電子収納箱１とパーソナルコンピュータ（以下「ＰＣ」という）２１とで構成される。電子収納箱１は、電気信号により蓋を開閉させる収納箱である。ＰＣ２１は、電子収納箱１に指示を与えるための電気信号や電力を供給する装置である。
【００２１】
［Ａ−１−２．電子収納箱］
図２は、本発明に係る電子収納箱１を前面方向から見た斜視図である。同図に示すように、電子収納箱１は、本体１１と、本体１１の上部に設けられた開口部１１１を覆う蓋１２とを備えている。本体１１の前面上部には、鍵穴１１２が設けられている。鍵穴１１２付近の本体１１内側には、詳細は後述するが、蓋１２が本体１１を覆っている閉状態から遷移するのを規制するためのロック機構が設けられている。
ここで、閉状態とは、蓋１２が本体１１の開口部１１１を覆い、かつ、ロック機構により蓋１２が本体１１を覆っている状態から遷移するのを規制している状態をいうものとする。一方、開状態とは、蓋１２が本体１１の開口部１１１を覆っておらず、かつ、ロック機構により蓋１２の動きが規制されていない状態をいうものとする。
【００２２】
図３には、電子収納箱１を背面方向から見た斜視図を示す。同図に示すように、本体１１の背面には、ＵＳＢ（Universal Serial Bus）ケーブルを差し込むためのＵＳＢ接続端子１１３が設けられている。電子収納箱１は、ＵＳＢ接続端子１１３に差し込まれたＵＳＢケーブルを介して、ＰＣ２１から電力の供給を受けると共に、各種指示を表す電気信号を受信する。
また、本体１１と蓋１２とを接続する部分には、ヒンジ部１１４が設けられている。ヒンジ部１１４の円筒形状の部位は、蓋１２が回動する際の軸となる。また、ヒンジ部１１４は、本体１１と蓋１２とを固定するためのパーツを兼ねている。ヒンジ部１１４の内側には、詳細は後述するが、蓋１２を回動させるためのギアが配設されている。また、ヒンジ部１１４の内側には、ＵＳＢ接続端子１１３から供給される電力を、モータに供給するための配線が配設されている。
【００２３】
図４には、蓋１２が開状態にあるときの電子収納箱１の斜視図を示す。同図に示すように、本体１１の内部には、物を収容する空間である収納部１１５が設けられている。また、本体１１の底部には、複数のＬＥＤ（Light Emitting Diode）１２０が配設されている。
図５には、本体１１の断面図を示す。同図に示すように、本体１１は、底板１１６と筺体１１７とで構成される。底板１１６上には、図示せぬモータやギアが配設されている。ギアの上部には、基板１１８が配設されている。基板１１８には、集積回路（ＩＣ；Integrated Circuit）が配置されている。集積回路によって、ＣＰＵ（Central Processing Unit）、ＲＯＭ（Read Only Memory）、ＲＡＭ（Random Access Memory）、及び、ＥＰＲＯＭ（Erasable Programmable Read Only Memory）やフラッシュメモリ等の不揮発性メモリが形成されている。
【００２４】
不揮発性メモリには、各種データやプログラムが記憶される。例えば、不揮発性メモリには、ＵＳＢ接続端子１１３より受信した暗号情報を記憶するための暗号記憶領域が設けられている。ここで暗号情報とは、電子収納箱１の蓋１２を開閉する際にユーザ認証を行うために用いる情報である。暗号情報には、例えば、複数の英数字で構成されたパスワードや、入力された氏名等の情報を一般的な暗号方式で暗号化した情報が含まれる。
【００２５】
また、不揮発性メモリには、現在電子収納箱１の蓋１２が開状態にあるのか閉状態にあるのかを管理する開閉状態管理情報を記憶する領域が設けられている。当該領域には、電子収納箱１に設けられたセンサが開状態を検知した場合には開状態を表す開閉状態管理情報が書き込まれ、閉状態を検知した場合には閉状態を表す開閉状態管理情報が書き込まれる。
【００２６】
また、不揮発性メモリには、ＰＣ２１から受信した暗号情報を暗号記憶領域に記憶するためのプログラムや、ＰＣ２１から受信した暗号情報と、暗号記憶領域に記憶されている暗号情報とを照合し、これらの暗号情報同士が一致していた場合に蓋１２を現在の開閉状態から遷移させるためのプログラムが記憶されている。
基板１１８の上部には、ＬＥＤ固定・反射カバー１１９が設けられている。ＬＥＤ固定・反射カバー１１９には、複数のＬＥＤ１２０が埋め込まれている。このＬＥＤ固定・反射カバー１１９の表面には銀メッキが施され、かつ、凹凸パターンが形成されており、例えば、アルミホイルを軽く握りつぶしたような外観を呈している。
ＬＥＤ固定・反射カバー１１９の上部には、脱着可能なＬＥＤ上部カバー１２１が設けられている。ＬＥＤ上部カバー１２１は、透明アクリルで形成されている。
【００２７】
図６には、本体１１内部に配設された、蓋１２のロック機構と開閉機構とを構成する部品を示す。
ロック機構は、蓋ロック片１２ａと、蓋ロック１２６と、スライド軸１２５と、回動軸１２４と、歯車軸１２３と、モータユニットＭとを含んで構成される。モータユニットＭの回動軸は円筒形のギア１２２に接結されている。このため、ギア１２２は、電源部１０６からモータユニットＭに供給される駆動電圧の極性に応じて正逆に回転駆動される。
【００２８】
歯車軸１２３の両端には、円板状のギア１２３ａ、１２３ｂが設けられている。歯車軸１２３の一方のギア１２３ａはギア１２２と噛合し、歯車軸１２３の他方のギア１２３ｂは、回動軸１２４の一端に設けられている円板状のギア１２４ａと噛合している。
回動軸１２４の他端には、円板１２４ｂが設けられている。この円板１２４ｂは、回動軸１２４の正逆回転に伴って回転する。ギア１２４ａの片面の円周寄りの位置、すなわち、回動軸１２４の回動中心に対し偏心した位置には、突起部１２４ｃが設けられている。また、図６の矢印Ｙ１方向から見た図７に示されているように、円板１２４ｂには歯車が設けられておらず、円板１２４ｂの片面の円周寄りの位置、すなわち、回動軸１２４の回動中心に対し偏心した位置には、突起部１２４ｄが設けられている。
【００２９】
スライド軸１２５は、本体１１の側板と略平行に配設されている平板である。このスライド軸１２５の両端には孔部１２５ａ，１２５ｂが設けられている。スライド軸１２５の一端の孔部１２５ａには、回動軸１２４の円板１２４ｂ上の突起部１２４ｄが挿通されている。
蓋ロック１２６は、本体１１の鍵穴１１２付近に配設されている。蓋ロック１２６は、上部の爪部１２６ａと、下部の突起部１２６ｂと、中央部の回動軸１２６ｃとを含んで構成される。蓋ロック１２６の突起部１２６ｂは、スライド軸１２５の一端の孔部１２５ｂに挿通されている。蓋ロック片１２ａは、蓋１２の一辺の縁に設けられている。蓋ロック片１２ａは、閉状態においては、蓋ロック１２６の爪部１２６ａに係止される。この状態が、ロック機構によって蓋１２の動きが規制されている状態である。
【００３０】
以上のような構成において、電源部１０６からモータユニットＭに電力が供給されると、モータユニットＭが駆動されギア１２２が回転する。このギア１２２の回転に連動して歯車軸１２３が回転し、この歯車軸１２３の回転に連動して回動軸１２４が回転する。これにより、回動軸１２４の円板１２４ｂ上に設けられた突起部１２４ｄが回転し、これに連動してスライド軸１２５が図７の矢印Ｙ２方向又はその逆方向にスライドする。
【００３１】
図８（ａ）に示すように、蓋ロック片１２ａと蓋ロック１２６の爪部１２６ａとが係止されている状態（ロック機構によって蓋１２の動きが規制されている状態）において、スライド軸１２５が本体１１の前面方向（図７の矢印Ｙ２方向、図８（ａ）中の矢印Ｙ２方向）へスライドした場合には、孔部１２５ｂに挿通されている突起部１２６ｂがその方向へ移動する。これにより、蓋ロック１２６は回動軸１２６ｃを中心に図８（ａ）の矢印Ｙ４１方向へ回転し、爪部１２６ａは本体１１の前面から離れる方向に移動する。よって、蓋ロック片１２ａと蓋ロック１２６の爪部１２６ａとの係止が外れることとなる。すなわち、ロック機構による規制が解除されることとなる。
【００３２】
一方、ロック機構による規制が解除されている状態からロック機構による規制を行うには、電源部１０６から供給される駆動電圧の極性を反転させることにより、ロック機構による規制が解除されたときとは逆方向に、モータユニットＭを回転させればよい。これにより、スライド軸１２５が図８（ｂ）中の矢印Ｙ３方向にスライドし、孔部１２５ｂに挿通されている突起部１２６ｂがその方向に移動する。よって、蓋ロック１２６は回動軸１２６ｃを中心に同図中の矢印Ｙ４２方向に回動し、爪部１２６ａは本体１１の前面に近づく方向に移動する。この移動により、蓋ロック片１２ａと爪部１２６ａとの係止状態が形成される。すなわち、ロック機構による規制が行われた状態となる。
【００３３】
次に、開閉機構について説明する。開閉機構は、モータユニットＭと、ギア１２２と、歯車軸１２３と、ギア１２４ａと、スライド軸１２７と、角度変更軸１２８と、アーム１２９と、回動部１３０と、クラッチ部１３１ａ，１３１ｂと、スプリング１３２と、回動板１３３とを含んで構成される。
スライド軸１２７は、本体１１の側板と略平行に配設されており、図６に示す矢印Ｙ５方向又はその逆方向にスライドするようになっている。スライド軸１２７の両端には孔部１２７ａ，１２７ｂが設けられている。回動軸１２４のギア１２４ａ上の突起部１２４ｃは、スライド軸１２７の一端の孔部１２７ａに挿通されている。
【００３４】
また、図９に示すように、スライド軸１２７の他端の孔部１２７ｂには、角度変更軸１２８の一端に設けられた突起部１２８ａが挿通されている。角度変更軸１２８は、回動軸１２８ｂを中心に回動する。角度変更軸１２８の他端に設けられた突起部１２８ｃは、アーム１２９の一端の孔部に連結されている。アーム１２９の他端の孔部には、回動部１３０の一端に設けられた突起部１３０ａが連結されている。回動部１３０に設けられている孔部１３０ｂには、蓋１２の回動軸１３４が挿通されている。
【００３５】
図１０には、ヒンジ部１１４の円筒形のカバー内部に設けられた部品の分解図を示す。同図に示すように、回動部１３０にはクラッチ部１３１ａの一端が接続され固定されている。クラッチ部１３１ａの他端には、噛合部１３１ａ１が形成されている。噛合部１３１ａ１には、緩やかな傾斜角を有するＶ字型の歯が複数設けられている。この傾斜の度合いは、後述するクラッチの機能を実現することができるように調整されている。
【００３６】
このクラッチ部１３１ａの噛合部１３１ａ１と噛み合ってクラッチとして作用するクラッチ部１３１ｂの一端にも、噛合部１３１ａ１と同様の歯が複数設けられた噛合部１３１ｂ１が形成されている。クラッチ部１３１ｂの多端には、伸縮性を有し螺旋状に巻かれたスプリング１３２の一端が接続されている。スプリング１３２の他端には、回動板１３３が接続されている。回動板１３３は、蓋１２の回動軸１３４に固定されている。この回動軸１３４は、一端が回動板１３３に固定され、他端がスプリング１３２、クラッチ部１３１ｂの孔部１３１ｂ２、クラッチ部１３１ａ、回動部１３０の孔部１３０ｂを順に貫いていることになる。
【００３７】
ここで、クラッチ部１３１ｂは、回動軸１３４の軸方向にスライド可能に形成されており、さらに、回動軸１３４の回動に連動して、回動軸１３４と一体となって回動するように形成されている。
クラッチ部１３１ｂが回動軸１３４と一体となって回動するためには、例えば、図１０に示すように構成する。すなわち、クラッチ部１３１ｂに設けられている孔部１３１ｂ２の形状、及び、その孔部１３１ｂ２を貫通する部分の回動軸１３４の断面形状を、共に矩形とし、両者が略ぴったりと嵌まった状態で一体となって回動するように構成する。
【００３８】
なお、クラッチ部１３１ｂが回動軸１３４と一体となって回動するための構成はこれに限定されず、例えば、孔部１３１ｂ２と回転軸１３４との一方に凹部、他方に凸部を設けることにより、両者同士が噛み合って回動軸１３４とクラッチ部１３１ｂとが一体となって回動するようにしてもよい。
このような構成により、回動部１３０に与えられる回転力は、クラッチ部１３１ａの噛合部１３１ａ１を介して，クラッチ部１３１ｂの噛合部１３１ｂ１に伝達され、クラッチ部１３１ｂに伝達された回転力は、孔部１３１ｂ２より回動軸１３４に伝達される。
【００３９】
以上のような構成において、電源部１０６からモータユニットＭに電力が供給されると、モータユニットＭが駆動され回転する。このモータユニットＭの回転に連動して歯車軸１２３が回転し、これに連動して回動軸１２４が回転し、さらに回動軸１２４の円板１２４ｂ上に設けられた突起部１２４ｃが回転する。この回転運動がスライド軸１２７に伝達されると往復運動に変換され、スライド軸１２７は矢印Ｙ５方向又はその逆方向にスライドする。スライド軸１２７の往復運動が角度変更軸１２８に伝達されると、角度変更軸１２８は伝達された往復運動の角度を変更する。角度変更軸１２８の動きに連動して、アーム１２９は往復運動を行う。アーム１２９の往復運動は、回動部１３０において回転運動に変換される。回動部１３０の回転力は、クラッチ部１３１ａ，１３１ｂ，回動軸１３４に伝達される。このため、回動軸１３４が回転し、この回動軸１３４の回転に連動して蓋１２が開閉する。蓋１２の開閉方向は、電源部１０６から供給される駆動電圧の極性に依存することとなる。
【００４０】
ここでは、モータユニットＭは８０００ＲＰＭの回転速度で駆動されるが、最終的に蓋１２を回動させる回動軸１３４は、０．２ＰＰＭという低速で回転するよう調整されている。このため、蓋１２はゆっくりした速度で、開状態または閉状態に遷移する。
ここで、図１１を参照して、クラッチ部１３１ａ，１３１ｂ及びスプリング１３２の機能について説明する。
【００４１】
モータユニットＭにより蓋１２が駆動されている状態においては、図１１（ｂ）に示されているように、クラッチ部１３１ａの歯合部１３１ａ１とクラッチ部１３１ｂの歯合部１３１ｂ１とは隙間なくぴったりと噛み合っている。この状態において、回動部１３０及びクラッチ部１３１ａの回転力は、クラッチ部１３１ｂ及び回動軸１３４に伝達される。また、スプリング１３２は、クラッチ部１３１ａとクラッチ部１３１ｂとが隙間なく噛合するように、クラッチ部１３１ｂを付勢している。
【００４２】
ところで、蓋１２が開状態にあるときに、手動により、蓋１２に対して、蓋１２が本体１１から離れる方向（以下、「開方向」という）に力が加えられた場合には、蓋１２の回動軸１３４が回転し、その回転力がクラッチ部１３１ｂに伝達されるが、クラッチ部１３１ａにはその回転力が伝達されることはない。すなわち、同図（ｃ）に示されているように、クラッチ部１３１ａの歯合部１３１ａ１とクラッチ部１３１ｂの歯合部１３１ｂ１との噛合い状態が解除され、これに伴いスプリング１３２が縮められた状態になるので、手動による回転力はクラッチ部１３１ａには伝達されない。この状態で、手を蓋１２から離せば、スプリング１３２の復元力により、同図（ｂ）の状態に戻る。なお、スプリング１３２の強度によっては同図（ｂ）の状態に戻らない場合もある。
【００４３】
一方、手動により、蓋１２に対して開方向に力が加えられた場合には、同図（ａ）の状態になる。このときにも、同様にクラッチ部１３１ａの歯合部１３１ａ１とクラッチ部１３１ｂの歯合部１３１ｂ１との噛合い状態が解除され、蓋１２から手を離せば、スプリング１３２の復元力により、同図（ｂ）の状態に戻る。
以上のように開閉機構が動作するため、蓋１２が開状態にあるときに、急激に蓋１２に対して閉方向又は開方向に力を加えたとしても、クラッチ部１３１ａの歯合部１３１ａ１とクラッチ部１３１ｂの歯合部１３１ｂ１との噛合い状態が解除されて、クラッチ部１３１ｂがスプリング１３２方向にスライドし、これに伴ってスプリング１３２が縮むため、クラッチ部１３１ａ、クラッチ部１３１ｂ、及び、回動部１３０に大きな衝撃が加わることはない。このため、クラッチ部１３１ａ、クラッチ部１３１ｂ、及び、回動部１３０の破損を防ぐことができる。
【００４４】
要するに、開閉機構は、モータユニットＭの回転速度を低下させつつ、モータユニットＭの回転力を伝達するギア１２２，１２３ａ，１２３ｂ，１２４ａと、ギア１２４ａの回転力を往復運動力に変換して伝達するスライド軸１２７と、このスライド軸１２７によって伝達される往復運動力の角度を変更する角度変更軸１２８と、この角度変更軸１２８に一端が接続され、この角度変更軸１２８によって角度が変更された往復運動力を回転運動に変更するリンク機構（アーム１２９、回動部１３０）と、このリンク機構の他端と接続され、このリンク機構によって変換された回転運動力を、蓋１２の回動軸１３４に伝達するクラッチ部１３１ａ，１３１ｂとを含んで構成されていることとなる。
【００４５】
なお、ヒンジ部１１４には、蓋１２がある程度開方向に回動した場合に、モータユニットＭやＬＥＤ１２０に対して、電源部１０６からの電力の供給を停止するための、図示せぬセンサが設けられている。また、同様に、開口部１１１には、蓋１２が閉状態となったときに、モータユニットＭへの電源部１０６からの電力の供給を停止するための図示せぬセンサが設けられている。
【００４６】
［機能構成］
上述した電子収納箱１を構成する各部品の機能と、基板１１８上のＣＰＵがメモリに記憶されているプログラムを実行することにより実現される機能と、メモリに記憶されているデータとにより、図１に示す電子収納箱１の機能が実現される。
同図に示すキー記憶部１０３は、基板１１８上のメモリを含んで構成される。キー記憶部１０３は暗号情報を記憶する。当該キー記憶部１０３には、出荷時にデフォルトの暗号情報が記憶されている。また、キー記憶部１０３には、出荷後には、電子収納箱１を購入した利用者が独自に設定した暗号情報が記憶される。
制御部１０１は、基板１１８のＣＰＵやメモリを含んで構成される。制御部１０１は、電子収納箱１全体を制御する。
【００４７】
制御部１０１は、判定機能１０１１を備えている。判定機能１０１１は、ＰＣ２１より、電子収納箱１の蓋１２を開閉することを要求する開閉要求信号を受信したときに、キー記憶部１０３に記憶されている暗号情報と、開閉要求信号に含まれている暗号情報とが一致しているか否かを判定する。判定機能１０１１は、これらの暗号情報同士が一致していた場合には、扉開閉コントローラ１０２に対して、現在の蓋１２の開閉状態に応じて、蓋１２を開状態と閉状態との何れか一方に遷移させるよう指示を行う。なお、制御部１０１は、メモリに記憶されている開閉状態管理情報の内容から、現在の蓋１２の開閉状態を判定する。
【００４８】
また、制御部１０１は、ＰＣ２１より、暗号の設定を要求するための暗号設定要求信号を受信した場合に、当該暗号設定要求信号に含まれる暗号情報をキー記憶部１０３に記憶する。
扉開閉コントローラ１０２は、上述した開閉機構とロック機構とを含んで構成される。扉開閉コントローラ１０２は、制御部１０１からの指示を受けて、蓋１２の開閉を制御する。
【００４９】
具体的には、扉開閉コントローラ１０２は、制御部１０１より蓋１２を開状態に遷移させる旨の指示を受けると、蓋１２を開状態に遷移させる処理を行う。すなわち、扉開閉コントローラ１０２は、電源部１０６からモータユニットＭに電力を供給することにより、ロック機構による規制を解除した後に、開閉機構により蓋１２を開方向へ回動させる。
一方、扉開閉コントローラ１０２は、制御部１０１より蓋１２を閉状態に遷移させる旨の指示を受けると、蓋１２を閉状態に遷移させる処理を行う。すなわち、扉開閉コントローラ１０２は、電源部１０６からモータユニットＭに電力を供給し、開閉機構により蓋１２を本体１１の開口部１１１を覆う方向へ回動させる。そして、扉開閉コントローラ１０２は、蓋１２を本体１１の開口部１１１を完全に覆う状態まで駆動した後に、ロック機構による規制を行う。
【００５０】
インターフェース部１０４は、ＵＳＢケーブル、ＵＳＢ接続端子１１３を介して、ＰＣ２１からの電気信号を受信するための制御を行う。
演出コントローラ１０５は、電子収納箱１の蓋１２が開状態に遷移するときに、臨場感を演出するためのコントローラである。演出コントローラ１０５は、サウンド１０５１と発光器１０５２とを含んで構成される。
サウンド１０５１は音声ＩＣを含んで構成され、音楽や効果音等の音を出力する。発光器１０５２は、ＬＥＤを含んで構成され、光を出力する装置である。電子収納箱１の蓋１２が開状態に遷移するときに、電源部１０６から演出コントローラ１０５に電力が供給されることにより、サウンド１０５１より音が出力され、発光器１０５２が発光することとなる。
電源部１０６は、ＰＣ１２から供給される電力であり、モータユニットＭや演出コントローラ１０５に電力を供給する。
【００５１】
［Ａ−１−３．ＰＣ］
次に、ＰＣ２１の構成について説明する。ＰＣ２１は、ＣＰＵと、ＲＯＭ、ＲＡＭ、及び、ハードディスク装置を含む記憶部と、外部装置との通信を制御する通信インターフェースと、キーボードを含んだユーザインターフェースとを備えている。
ＰＣ２１の記憶部には、暗号設定要求信号を電子収納箱１に送信するための暗号設定プログラムＰ１と、開閉要求信号を送信するための開閉プログラムＰ２とが記憶され得る。これらのプログラムＰ１、Ｐ２は、ユーザが電子収納箱１を購入した際に、付属のＣＤ−ＲＯＭ（Compact Disk Read Only Memory）からインストールされるか、若しくは、ＷＷＷ（World Wide Web）サーバよりダウンロードされる。
【００５２】
暗号設定要求信号には、当該信号が暗号設定を要求する信号であることを表す情報と、ＰＣ２１のユーザインターフェースより入力された暗号情報とが含まれる。
開閉要求信号には、当該信号が蓋１２の開閉を要求する信号であることを表す情報と、ユーザインターフェースより入力された暗号情報とが含まれる。
【００５３】
［Ａ−１−４．開閉処理］
次に、図１２を参照しながら、電子収納箱１が蓋１２の開閉状態を遷移させる動作について説明する。
まず、ユーザは、電子収納箱１とＰＣ２１とをＵＳＢケーブルで接続する。次いで、ユーザは、ＰＣ２１のユーザインターフェースより、パスワード等の暗号情報を入力して、暗号設定の指示入力を行う。これにより、ＰＣ２１のＣＰＵは、暗号設定プログラムＰ１を実行することにより、暗号情報を含んだ暗号設定要求信号を生成する。ＰＣ２１のＣＰＵは、ＵＳＢケーブルを介して、生成した暗号設定要求信号を電子収納箱１に送信する。
【００５４】
電子収納箱１のインターフェース部１０４は、暗号設定要求信号を受信して、制御部１０１に渡す。制御部１０１は、暗号設定要求信号に含まれる暗号情報をキー記憶部１０３に記憶する（ステップＳ１０１）。
次に、ユーザは、ＰＣ２１のユーザインターフェースより、暗号情報を入力して、電子収納箱１の蓋１２を開閉するための指示入力を行う。これにより、ＰＣ２１は、暗号情報を含んだ開閉要求信号を生成する。そして、ＰＣ２１は、ＵＳＢケーブルを介して、生成した開閉要求信号を電子収納箱１に送信する。
【００５５】
電子収納箱１のインターフェース部１０４は、開閉要求信号を受信し（ステップＳ１０２；Ｙｅｓ）、受信した開閉要求信号を制御部１０１に渡す。
制御部１０１は、開閉要求信号を受信すると、キー記憶部１０３に記憶されている暗号情報を取得する。制御部１０１の判定機能１０１１は、開閉要求信号に含まれる暗号情報と、キー記憶部１０３より取得した暗号情報とを比較し、暗号情報同士が一致しているか否かを判定する（ステップＳ１０３）。
【００５６】
暗号情報同士が一致していないと判定された場合には（ステップＳ１０３；Ｎｏ）、制御部１０１は、ユーザが入力した暗号情報が電子収納箱１に記憶されている暗号情報と一致していない旨を通知するためのメッセージを、ＰＣ２１に送信しディスプレイに表示する。なお、このときに、サウンド１０５１により音声信号で通知してもよいし、発光器１０５２によりＬＥＤを点滅させることで通知するようにしてもよい。
【００５７】
一方、暗号情報同士が一致していると判定された場合には（ステップＳ１０３；Ｙｅｓ）、制御部１０１は、現在、蓋１２が開状態にあるか閉状態にあるかを判定する。具体的には、制御部１０１は、不揮発性メモリに記憶してある開閉状態管理情報が開状態を表しているか閉状態を表しているかを判定する。
開閉状態管理情報が開状態を表している場合には、制御部１０１は、扉開閉コントローラ１０２に対して、蓋１２を閉状態に遷移させるよう指示する。
【００５８】
扉開閉コントローラ１０２は、制御部１０１より指示を受けて、蓋１２を閉状態に遷移させる処理を行う（ステップＳ１０５）。具体的には、扉開閉コントローラ１０２は、電源部１０６よりモータユニットＭに電力を供給することによりモータユニットＭを駆動し、開閉機構により開口部１１１を覆う方向へ蓋１２を駆動する。蓋１２が開口部１１１を完全に覆う位置まで駆動された後に、扉開閉コントローラ１０２は、蓋ロック片１２ａと蓋ロック１２６の爪部１２６ａとを係止させることにより、ロック機構による蓋１２の動きの規制を行う。
【００５９】
一方、開閉状態管理情報が閉状態を表していた場合には、制御部１０１は、扉開閉コントローラ１０２に対して、蓋１２を開状態に遷移させるよう指示する。
扉開閉コントローラ１０２は、制御部１０１より指示を受けて、蓋１２を開状態に遷移させる処理を行う（ステップＳ１０６）。具体的には、扉開閉コントローラ１０２は、電源部１０６からモータユニットＭに電力を供給してモータユニットＭを駆動させ、蓋ロック片１２ａと蓋ロック１２６の爪部１２６ａとの係止を外すことにより、ロック機構による規制を解除する。次いで、扉開閉コントローラ１０２は、開閉機構により蓋１２を開方向に回動させる。
【００６０】
［Ａ−２．動作］
次に、上記構成における動作について図１及び図１２を参照しながら説明する。
動作例として、贈主が電子収納箱１に贈り物を入れて蓋１２を閉状態としてから受取人に渡し、その後、受取人が電子収納箱１の蓋１２を開状態とする場合について説明する。
ここでは、贈主の所有するＰＣがＰＣ２１ａであり、受取人の所有するＰＣがＰＣ２１ｂであるものとする。
【００６１】
まず、贈主は電子収納箱１を購入する。電子収納箱１には、ＣＤ−ＲＯＭと取扱説明書とが付属されている。ＣＤ−ＲＯＭには、贈主のＰＣ２１ａや受取人のＰＣ２１ｂにインストールするための暗号設定プログラムＰ１と開閉プログラムＰ２とが記憶されている。また、取扱説明書には、電子収納箱１に予め設定されているデフォルトの暗号情報や、電子収納箱１の蓋１２を開閉する手順が記載されている。また、電子収納箱１の不揮発性メモリには、デフォルトの暗号情報や、蓋１２が現在閉状態にあることを表す開閉状態管理情報が記憶されている。
また、以下の動作例において、贈主や受取人がＰＣ２１ａやＰＣ２１ｂから入力する暗号情報は、入力した時点に電子収納箱１に記憶されている暗号情報と一致するものとする。
【００６２】
［Ａ−２−１．贈主が購入した電子収納箱を開状態とする処理］
まず、贈主は、ＣＤ−ＲＯＭに記憶されているプログラムＰ１，Ｐ２を、ＰＣ２１ａにインストールする。次いで、贈主は、電子収納箱１とＰＣ２１ａとをＵＳＢケーブルで接続する。そして、贈主は、取扱説明書に印刷された手順を参照しながら、ＰＣ２１ａのキーボードを操作して、デフォルトの暗号情報を入力し、電子収納箱１の蓋１２を開状態にするための指示入力を行う。
【００６３】
これにより、ＰＣ２１ａは、記憶部より開閉プログラムＰ２を読み出して実行することにより、入力された暗号情報を含む開閉要求信号を生成する。そして、ＰＣ２１ａは、ＵＳＢケーブルを介して、生成した開閉要求信号を電子収納箱１に送信する。
電子収納箱１のインターフェース部１０４は、開閉要求信号を受信すると（ステップＳ１０２；Ｙｅｓ）、開閉要求信号を制御部１０１に渡す。制御部１０１は、キー記憶部１０３に記憶されているデフォルトの暗号情報を取得する。制御部１０１の判定機能１０１１は、開閉要求信号に含まれる暗号情報とキー記憶部１０３より取得した暗号情報とを比較し、これらの暗号情報同士が一致しているか否かを判定する（ステップＳ１０３）。
【００６４】
ここでは、暗号情報同士は一致しているため（ステップＳ１０３；Ｙｅｓ）、制御部１０１は、現在、蓋１２が開状態にあるのか閉状態にあるのかを判定する（ステップＳ１０４）。ここでは、不揮発性メモリに記憶されている開閉状態管理情報が閉状態を表しているため、制御部１０１は、扉開閉コントローラ１０２に対して、蓋１２を開状態に遷移させるよう指示する。
【００６５】
扉開閉コントローラ１０２は、制御部１０１より指示を受けると、蓋１２を開状態に遷移させる処理を行う（ステップＳ１０６）。具体的には、扉開閉コントローラ１０２は、モータユニットＭを駆動することにより、ロック機構の規制を解除した後に、開閉機構により蓋１２を開方向に駆動して、蓋１２を開状態へ遷移させる。
蓋１２がある程度まで開方向に駆動されると、センサがこれを検知する。センサは、モータユニットＭへの電力の供給を停止させることにより、モータユニットＭの駆動を停止させる。制御部１０１は、不揮発性メモリに開状態を表す開閉状態管理情報を記憶する。
【００６６】
［Ａ−２−２．贈主が電子収納箱に贈り物を入れて閉状態とする処理］
次に、贈主は、ＰＣ２１ａのキーボードを操作することにより、贈主独自の暗号情報を入力し、さらに、暗号設定の指示入力を行う。
これにより、ＰＣ２１ａのＣＰＵは、記憶部より暗号設定プログラムＰ１を読み出して実行することにより、暗号情報を含んだ暗号設定要求信号を生成する。そして、ＰＣ２１ａのＣＰＵは、ＵＳＢケーブルを介して、当該暗号設定要求信号を電子収納箱１に送信する。
電子収納箱１のインターフェース部１０４は、暗号設定要求信号を受信し、暗号設定要求信号を制御部１０１に渡す。制御部１０１は、暗号設定要求信号に含まれる暗号情報を、キー記憶部１０３に記憶する（ステップＳ１０１）。
【００６７】
次に、贈主は、本体１１の収納部１１５に贈り物を収納する。そして、贈主は、ＰＣ２１ａのキーボードを操作して、ステップＳ１０１で記憶されたのと同様の暗号情報を入力し、さらに、蓋１２を閉状態にする指示入力を行う。
これにより、ＰＣ２１ａのＣＰＵは、開閉プログラムＰ２を実行することにより、入力された暗号情報を含んだ開閉要求信号を生成する。そして、ＰＣ２１ａのＣＰＵは、ＵＳＢインターフェースを介して、生成した開閉要求信号を電子収納箱１に送信する。
【００６８】
電子収納箱１のインターフェース部１０４は、開閉要求信号を受信し（ステップＳ１０２；Ｙｅｓ）、当該開閉要求信号を制御部１０１に渡す。制御部１０１は、開閉要求信号を受け取ると、キー記憶部１０３より暗号情報を取得する。制御部１０１の判定機能１０１１は、開閉要求信号に含まれる暗号情報と、キー記憶部１０３より取得した暗号情報とを比較し、これらの暗号情報同士が一致しているか否かを判定する（ステップＳ１０３）。
【００６９】
ここでは、暗号情報同士は一致しているため（ステップＳ１０３；Ｙｅｓ）、制御部１０１は、現在、蓋１２が開状態にあるのか閉状態にあるのかを判定する。ここでは、不揮発性メモリに記憶されている開閉状態管理情報が開状態を表しているため、制御部１０１は、扉開閉コントローラ１０２に対して、蓋１２を閉状態に遷移させる指示を行う。
扉開閉コントローラ１０２は指示を受け取ると、蓋１２を閉状態に遷移させる処理を行う（ステップＳ１０５）。具体的には、扉開閉コントローラ１０２は、モータユニットＭを駆動して、開閉機構により蓋１２を開口部１１１を覆う方向へ駆動する。扉開閉コントローラ１０２は、蓋１２が開口部１１１を完全に覆う位置まで駆動された後に、ロック機構による規制を行う。
【００７０】
以上のようにして、贈主は、独自の暗号情報を設定した電子収納箱１に贈り物を入れる。そして、贈主は、当該電子収納箱１を受取人に手渡す。
その後、贈主は、例えば、受取人自身の誕生日やクリスマスの日に、ＰＣ２０ａから受取人のＰＣ２１ｂ宛てに電子メールを送信する。その電子メールには、電子収納箱１に設定されている暗号情報が記述され、ＣＤ−ＲＯＭに記憶されていたプログラムＰ１，Ｐ２が添付されている。なお、電子メール以外にも、例えば、贈主は、プログラムＰ１，Ｐ２が記憶されたＣＤ−ＲＯＭと暗号情報が記入された便箋とを受取人に郵送するようにしてもよい。
【００７１】
［Ａ−２−３．受取人の操作］
受取人のＰＣ２１ｂは、電子メールを受信する。受取人は、贈主と同様の手順で、ＰＣ２１ｂにプログラムＰ１，Ｐ２をインストールする。次いで、受取人は、ＰＣ２１ｂのキーボードを操作して、通知を受けた暗号情報を入力し、さらに、電子収納箱１の蓋１２を開くための指示入力を行う。
この後、電子収納箱１の蓋１２を開状態に遷移させる際の動作は、上述した［Ａ−２−１．贈主が購入した電子収納箱を開状態とする処理］において説明したステップＳ１０２以降の動作と同様であるため、重複した説明を省略する。
なお、電子収納箱１の蓋１２が開方向に回動し始めると同時に、電源部１０６から演出コントローラ１０５に電力が供給されて、発光器１０５２から出力される光が点滅し、サウンド１０５１より音が出力されることとなる。
【００７２】
（Ｂ．第２の実施の形態）
次に、本発明に係る第２の実施の形態について説明する。第２の実施の形態においては、電子収納箱１に信号を送信するための外部装置として、赤外線通信機能を備えた携帯電話機を使用する。また、携帯電話機の処理能力を補うための装置としてサーバを使用する。
【００７３】
［Ｂ−１．構成］
図１３は、本発明の第２の実施の形態に係る収納箱開閉システムの全体構成を示すブロック図である。同図に示す収納箱開閉システムが第１の実施の形態と異なる点は、第１の実施の形態におけるＰＣ２１が、携帯電話機２２に置き換えられている点と、携帯電話機２２とインターネット等の通信ネットワークを介して接続されたサーバ３が構成要素となっている点である。
【００７４】
また、第２の実施の形態における電子収納箱１が、第１の実施の形態における電子収納箱１と異なる点は、本体１１の前面に赤外線受光部が設けられている点と、乾電池を取り付ける電池装着部が設けられている点である。また、電子収納箱１のインターフェース部１０４は、赤外線信号の受信を制御するためのインターフェースと赤外線受光部とを含んで構成される。また、電源部１０６は、電池装着部に取り付けられた乾電池となる。
【００７５】
サーバ３は、一般的なＷＷＷサーバである。サーバ３の記憶部には、携帯電話機２２にダウンロードするプログラムを生成するためのプログラムが記憶されている。
サーバ３のＣＰＵは、携帯電話機２２より暗号設定の要求を受信すると、上述したプログラムを実行することにより、携帯電話機２２より入力された暗号情報を含んだ暗号設定要求信号を生成し、当該暗号設定要求信号を赤外線信号として送信するための暗号設定プログラムＰ３を生成する。サーバ３のＣＰＵは、生成した暗号設定プログラムＰ３を携帯電話機２２に送信する。
【００７６】
また、サーバ３のＣＰＵは、携帯電話機２２より蓋１２の開閉要求を受信すると、上述したプログラムを実行することにより、携帯電話機２２より入力された暗号情報を含んだ開閉要求信号を生成し、当該暗号設定要求信号を赤外線信号として送信するための開閉プログラムＰ４を生成する。サーバ３のＣＰＵは、生成した開閉プログラムＰ４を携帯電話機２２に送信する。
なお、プログラムＰ３，Ｐ４は、例えばＪａｖａ（登録商標）言語で記述されたものである。
【００７７】
携帯電話機２２は、一般的な携帯電話機であり、携帯電話機２２全体を制御するＣＰＵと、無線通信を制御する無線通信部と、各種操作ボタンが操作されることによりＣＰＵに指令を与える操作部と、揮発性メモリや不揮発性メモリを含む記憶部と、ＩｒＤＡ（Infrared Data Association）に従った赤外線通信を行う赤外線通信部とを備えている。
携帯電話機２２の記憶部には、出荷当初より、インターネット接続や赤外線通信を行うためのソフトウェアや、Ｊａｖａ（登録商標）言語で記述されたプログラムを実行するためのソフトウェアが記憶されている。
【００７８】
［Ｂ−２．動作］
次に、上記構成における動作について図１２及び図１３を参照しながら説明する。
贈主は、取扱説明書付きの電子収納箱１を購入する。ここでは、第１の実施の形態と異なり、プログラムをサーバよりダウンロードするために、電子収納箱１にＣＤ−ＲＯＭは付属されていない。
まず、贈主は、取扱説明書に従って携帯電話機２２を操作し、サーバ３と接続する。次いで、贈主は、第１の実施の形態と同様の手順で、携帯電話機２２を操作して、取扱説明書に記載されているデフォルトの暗号情報を入力し、電子収納箱１の蓋１２を開状態にする指示を行う。
【００７９】
これにより、携帯電話機２２は、開閉要求と暗号情報とをサーバ３に送信する。サーバ３は、受信した暗号情報を含んだ暗号設定要求信号を送信するための開閉プログラムＰ４を生成し、携帯電話機２２に送信する。
携帯電話機２２は、サーバ３より受信した開閉プログラムＰ４を実行することにより、赤外線通信部より開閉要求信号を送信する。
【００８０】
電子収納箱１の赤外線受光部は、開閉要求信号を受信し、インターフェース部１０４経由で制御部１０１に転送する。
これ以降の、電子収納箱１の蓋１２を開状態に遷移させる際の動作は、第１の実施の形態における［Ａ−２−１．贈主が購入した電子収納箱を開状態とする処理］と同様であるため、重複した説明を省略する。
【００８１】
次に、贈主は、開状態に遷移した電子収納箱１の収納部１１５に贈り物を入れる。次いで、贈主は、携帯電話機２２を操作して、独自の暗号情報を入力し、暗号設定の指示を行う。
これにより、携帯電話機２２は、暗号情報と暗号設定の要求とをサーバ３に送信する。
サーバ３は、携帯電話機２２より暗号設定の要求を受信すると、贈主が入力した暗号情報を含んだ暗号設定要求信号を赤外線信号として送信するための暗号設定プログラムＰ３を生成する。サーバ３は、生成した暗号設定プログラムＰ３を携帯電話機２２に送信する。また、サーバ３は、このときに、同じ暗号情報を含んだ開閉要求信号を送信するための開閉プログラムＰ４を生成する。
【００８２】
携帯電話機２２は、サーバ３より暗号設定プログラムＰ３を受信する。携帯電話機２２は、当該暗号設定プログラムＰ３を実行することにより、赤外線通信部から暗号設定要求信号を送信する。
電子収納箱１のインターフェース部１０４は、暗号設定要求信号を受信すると、制御部１０１に転送する。制御部１０１は、暗号設定要求信号に含まれる暗号情報をキー記憶部１０３に記憶する（ステップＳ１０１）。
【００８３】
次に、贈主は、携帯電話機２２を操作して、サーバ３にアクセスし、設定した暗号情報と同様の暗号情報を入力して、蓋１２を閉状態にする指示入力を行う。これにより、携帯電話機２２は、サーバ３に開閉要求信号と暗号情報とを送信し、サーバ３より、暗号設定時に作成された開閉プログラムＰ４をダウンロードする。
携帯電話機２２は、開閉プログラムＰ４を実行することにより、開閉要求信号を赤外線通信部より電子収納箱１に送信する。
【００８４】
電子収納箱１は、［Ａ−２−２．贈主が電子収納箱に贈り物を入れて閉状態とする処理］と同様の手順で、電子収納箱１の蓋１２を閉状態に遷移させる。
受取人も贈主と同様の手順で、サーバ３より開閉プログラムＰ４を受取人の携帯電話機にダウンロードすることにより、電子収納箱１の蓋１２を開状態とする動作を行う。
【００８５】
（Ｃ．第３の実施の形態）
次に、第３の実施の形態について説明する。
［Ｃ−１．構成］
図１４は、本発明の第３の実施の形態に係る収納箱開閉システムの全体構成を示すブロック図である。同図に示す収納箱開閉システムが第１の実施の形態と異なる点は、第１の実施の形態におけるＰＣ２１が、ゲーム機２３に置き換えられている点である。
ゲーム機２３は、小型のコンピュータの構成を備えている。すなわち、ゲーム機２３は、ＣＰＵと、不揮発性メモリや揮発性メモリを含んだ記憶部と、外部装置と通信を行うための通信インターフェースと、キーボード操作による指令をＣＰＵに与えるための操作部とを備えている。
【００８６】
ゲーム機２３の記憶部には、各種プログラムやデータが記憶されている。例えば、ゲーム機２３の記憶部には、ゲームを実行するためのゲームプログラムの他に、本発明に特徴的なプログラムとして、ゲーム開始時に入力された、ゲームを使用するユーザ（以下「プレーヤー」という）に関する情報から暗号情報を生成して、当該暗号情報を含んだ暗号設定要求信号を送信するための暗号設定プログラムＰ５と、ゲームの進行状況が予め定められた所定の状況となった場合に、暗号情報を含んだ開閉要求信号を送信するためのプログラムＰ６とが記憶されている。また、ゲーム機２３の記憶部には、予め定められた所定の状況を表す情報や、ユーザに関する情報から生成された暗号情報が記憶される。
【００８７】
これらのプログラムをゲーム機２３が実行することにより、図１５に示す機能がゲーム機２３に実現される。
同図に示すように、ゲーム機２３は、暗号記憶部２３１と、進行状況管理部２３２と、進行状況判定部２３３と、暗号情報出力部２３４とを備えている。
暗号記憶部２３１は記憶部を含んで構成され、電子収納箱１に設けられた蓋１２を、開状態に遷移させるための暗号情報を記憶する。
【００８８】
進行状況管理部２３２は、ゲーム機２３のＣＰＵがゲームプログラムを実行することにより逐次出力する進行状況情報を取得し、当該進行状況情報を逐次不揮発性メモリに一時記憶することにより、ゲームの進行状況を管理する。
進行状況判定部２３３は、進行状況管理部２３２により管理されている進行状況情報が、予め定められた所定の状況を表しているか否かを判定する。
暗号情報出力部２３４は、進行状況判定部２３３によって、進行状況情報が予め定められた所定の状況を表していると判定された場合には、電子収納箱１の蓋１２を開状態に遷移させるために、暗号記憶部２３１に記憶されている暗号情報を含んだ開閉要求信号を生成し、生成した開閉要求信号をＵＳＢケーブルを介して電子収納箱１に送信する。
【００８９】
［Ｃ−２．動作］
次に、上記構成における動作について、図１４及び図１２を参照しながら説明する。
ゲームソフトメーカは、ゲームプログラムやプログラムＰ５，Ｐ６等が記憶されたＣＤ−ＲＯＭと、収納部１１５に景品を収納した電子収納箱１とをセットにして販売する。さらに、ゲーム機メーカはゲーム機２３を販売する。
プレーヤーはＣＤ−ＲＯＭと電子収納箱１とゲーム機２３とを購入し、ゲーム機２３にＣＤ−ＲＯＭに記憶されたプログラムをインストールする操作を行う。これにより、ゲーム機２３の記憶部には、ゲームを実行するためのゲームプログラムと、プログラムＰ５、Ｐ６と、予め定められた所定の状況「ゲームが終了した時点における点数が１００点以上」を表す情報とが記憶される。
【００９０】
次に、プレーヤーは、ゲーム機２３と電子収納箱１とを接続する。そして、プレーヤーは、ゲーム機２３の操作部を操作して、ゲームを開始する指示を行う。
これにより、ゲーム機２３のＣＰＵは、暗号設定プログラムＰ５を実行することにより、プレーヤーに名前と生年月日を入力させる画面をディスプレイに表示する。
プレーヤーは、ゲーム機２３の操作部を操作して、名前と生年月日を入力する。
【００９１】
これにより、ゲーム機２３は、入力された情報に基づいて暗号情報を生成し、当該暗号情報を暗号記憶部２３１に記憶する。また、ゲーム機２３は、生成した暗号情報を含んだ暗号設定要求信号を生成し、当該暗号設定要求信号をＵＳＢケーブルを介して、電子収納箱１に送信する。
電子収納箱１のインターフェース部１０４は暗号設定要求信号を受信し、制御部１０１は、暗号設定要求信号に含まれる暗号情報をキー記憶部１０３に記憶する（ステップＳ１０１）。
【００９２】
ゲーム機２３のＣＰＵは、ゲームプログラムを実行する。プレーヤーは、ゲーム機２３の操作部を操作してＣＰＵに指令を与え、ゲームを進行する。
ゲーム機２３のＣＰＵは、ゲームプログラムを実行することにより、操作部からの入力に応じたゲームの得点とゲームが終了したか否かとを表す進行状況情報を出力する。
ゲームプログラムが実行されている間、進行状況管理部２３２は、出力された進行状況情報を逐次記憶部に記憶して管理する。また、進行状況判定部２３３は、進行状況管理部２３２により管理されている進行状況情報が、ゲームが終了したことを表しているか否かと、得点１００点に達したことを表しているか否かとを逐次判定する。
【００９３】
進行状況情報が、ゲームが終了したことを表しており、かつ、得点が１００点に達したことを表していると判定された場合には、進行状況判定部２３３は、暗号記憶部２３１に記憶されている暗号情報を含んだ開閉要求信号を生成し、ＵＳＢケーブルを介して、電子収納箱１に出力する。
電子収納箱１は、開閉要求信号を受信すると、第１の実施の形態で説明した手順と同様の手順で、蓋１２を開状態に遷移させる。
【００９４】
なお、電子収納箱１の蓋１２が開状態に遷移する間には、演出コントローラ１０５により、適切な演出処理が行われる。
以上説明したように、外部より入力された暗号情報と、キー記憶部１０３に記憶されている暗号情報とが一致した場合にのみ、電子収納箱１の蓋１２が、電動により開状態に遷移するようにしたため、安全性と利便性とを高めることができる。また、蓋１２を低速で駆動するようにしたり、演出コントローラ１０５によって演出効果を高めるようにしたため、電子収納箱１に収納された物を受け取る人を楽しませることができる。
【００９５】
［３．変形例］
以上、本発明の実施形態について説明したが、本発明は係る実施形態に限定されるものではなく、その技術思想の範囲内で様々な変形が可能である。変形例としては、例えば、以下のようなものが考えられる。
（１）上述した実施形態においては、ロック機構は蓋ロック片１２ａや蓋ロック１２６等によって構成されているとして説明したが、これに限定されずに、例えば、ロック機構が電磁ソレノイドで構成されるようにしてもよい。
【００９６】
（２）上述した実施形態においては、ＰＣ２１や携帯電話機２２やゲーム機２３より暗号設定要求信号や開閉要求信号を送信するとして説明したが、例えば、テレビやラジカセのリモコンからこれらの信号を送信するようにしてもよい。この場合には、リモコンの操作ボタンを押したときに送信される信号の組み合わせによって、これらの信号を表すようにするとよい。
【００９７】
（３）上述した第１の実施の形態においては、電子収納箱１の出荷時点において、予めデフォルトの暗号情報がキー記憶部１０３に設定されており、電子収納箱１がデフォルトの暗号情報を含んだ開閉要求信号を受信した場合に、蓋１２が開状態に遷移するものとして説明したが、これに限定されず、例えば、初回に、電子収納箱１のＵＳＢ接続端子１１３にＵＳＢケーブルを接続したときにのみ、蓋１２が開状態に遷移する仕組みとしてもよい。
【００９８】
（４）上述した第１の実施の形態においては、贈主のＰＣ２１ａには、ＣＤ−ＲＯＭからプログラムＰ１，Ｐ２をインストールし、受取人のＰＣ２１ｂには、電子メールからプログラムＰ１，Ｐ２をインストールするようにしたが、ＰＣ２１ａ，ＰＣ２１ｂにプログラムＰ１，Ｐ２をインストールする方法はこれに限定されず、例えば、ＰＣ２１ａ，ＰＣ２１ｂがＷｅｂサイトよりプログラムＰ１，Ｐ２をダウンロードするようにしてもよいし、出荷時に電子収納箱１にプログラムＰ１，Ｐ２を記憶しておき、電子収納箱１とＰＣ２１ａ，ＰＣ２１ｂとをＵＳＢケーブルで接続したときに、電子収納箱１からＰＣ２１ａ，ＰＣ２１ｂにプログラムＰ１，Ｐ２が送信されてインストールされるようにしてもよい。
【００９９】
（５）上述した実施形態においては、扉開閉コントローラ１０２が、現在、蓋１２が開状態にあるか閉状態にあるかを判定する際に、電子収納箱１の不揮発性メモリに記憶されている開閉状態管理情報により判定するとして説明したが、開閉状態を判定する方法はこれに限定されることはない。例えば、センサからリアルタイムに情報を取得して判定するようにしてもよい。
【０１００】
（６）暗号情報は、英数字で構成されたパスワードでもよいし、公開鍵暗号方式や共通鍵暗号方式によって認証を行うための鍵情報であってもよい。
（７）ＵＳＢケーブルの形状に工夫をしてもよい。例えば、ＵＳＢケーブルが鍵の形状をしていてもよい。
（８）受取人が電子収納箱１の蓋１２を開状態にした後には、物理的な鍵を鍵穴１１２に差し込んで開閉できるようにしてもよいし、受取人が新たな暗号情報を電子収納箱１に設定して電気的に蓋１２を開閉するようにしてもよい。
【０１０１】
（９）上述した実施形態においては、蓋１２の開閉機構は、回動部１３０やクラッチ部１３１ａ，１３１ｂやスプリング１３２やモータユニットＭを含んで構成するようにしたが、これは一例に過ぎず、例えば、回動軸１３４にモータユニットＭを直結して構成するようにしてもよい。また、スプリング１３２は、弾性体であればよく、コイル状のばね以外にも、例えば、樹脂で形成された弾性のある物質を用いてもよい。
（１０）第２の実施の形態においては、携帯電話機２２は赤外線通信により電子収納箱１に信号を送信するとして説明したが、これに限定されず、Buletooth（登録商標）による通信により信号を送信するようにしてもよい。
【０１０２】
（１１）上述した実施形態における電子収納箱１の蓋１２を開閉する方法や構造は一例であり、例えば、図１６に示すような構造の蓋１２であってもよい。すなわち、同図（ａ）に示されているように平板形状の蓋を開閉する構造、同図（ｂ）に示されているように引き出し式収納部を開閉する構造、同図（ｃ）に示されているように円形の蓋を回転スライドさせて開閉する構造、同図（ｄ）に示されているように平板形状の蓋を水平スライドさせて開閉する構造、同図（ｅ）に示されているように厚みのある蓋を水平スライドさせて開閉する構造、同図（ｆ）に示されているように本体の前面下部に軸支した収納部を回動させて開閉する構造のいずれを採用してもよい。
【産業上の利用可能性】
【０１０３】
携帯性と安全性と利便性と簡易性と演出効果が要求される収納箱の分野に利用することができる。
【図面の簡単な説明】
【０１０４】
【図１】本発明の第１の実施の形態に係る収納箱開閉システムの構成を示すブロック図である。
【図２】同実施の形態に係る電子収納箱を前面方向から見た斜視図を示す図である。
【図３】同実施の形態に係る電子収納箱を背面方向から見た斜視図を示す図である。
【図４】同実施の形態に係る電子収納箱が開状態にあるときの斜視図を示す図である。
【図５】同実施の形態に係る電子収納箱の断面図である。
【図６】同実施の形態に係る蓋の開閉機構とロック機構とを説明するための図である。
【図７】同実施の形態に係るスライド軸１２５と円板１２４ｂとを図６の矢印Ｙ１方向から見た図である。
【図８】（ａ）、（ｂ）は、同実施の形態に係る蓋ロック片１２ａと蓋ロック１２６の爪部１２６ａとを図６の矢印Ｙ１方向と反対方向から見た図である。
【図９】同実施の形態に係るアーム１２９付近を図６の矢印Ｙ１方向から見た図である。
【図１０】同実施の形態に係るヒンジ部１１４の円筒形のカバー内部に設けられた部品の分解図を示す図である。
【図１１】（ａ）、（ｂ）、（ｃ）は、同実施の形態に係るクラッチ部１３１ａ，１３１ｂ及びスプリング１３２の機能を説明するための図である。
【図１２】同実施の形態に係る開閉処理の流れを示すフローチャートである。
【図１３】本発明の第２の実施の形態に係る収納箱開閉システムの構成を示すブロック図である。
【図１４】本発明の第３の実施の形態に係る収納箱開閉システムの構成を示すブロック図である。
【図１５】同実施の形態に係るゲーム機２３の機能構成を示すブロック図である。
【図１６】変形例に係る蓋の構造や開閉方法のバリエーションを説明するための図である。
【符号の説明】
【０１０５】
１・・・電子収納箱、１１・・・本体、１２・・・蓋、１２ａ・・・蓋ロック片、１１１・・・開口部、１１２・・・鍵穴、１１３・・・ＵＳＢ接続端子、１１４・・・ヒンジ部、１１５・・・収納部、１１６・・・底板、１１７・・・筺体、１１８・・・基板、１１９・・・固定・反射カバー、１２１・・・上部カバー、
１２２・・・ギア、１２３ａ，１２３ｂ・・・ギア、１２３・・・歯車軸、１２４ａ・・・ギア、１２４ｂ・・・円板、１２４・・・回動軸、１２４ｃ，１２４ｄ・・・突起部、１２５・・・スライド軸、１２５ａ，１２５ｂ・・・孔部、１２６・・・蓋ロック、１２６ａ・・・爪部、１２６ｂ・・・突起部、１２６ｃ・・・回動軸、１２７・・・スライド軸、１２７ａ，１２７ｂ・・・孔部、１２８・・・角度変更軸、１２８ａ・・・突起部、１２８ｂ・・・回動軸、１２８ｃ・・・突起部、１２９・・・アーム、１３０・・・回動部、１３０ａ・・・突起部、１３０ｂ・・・孔部、１３１ａ，１３１ｂ・・・クラッチ部、１３１ａ１，１３１ｂ１・・・噛合部、１３１ｂ２・・・孔部、１３２・・・スプリング、１３３・・・回動板、１３４・・・回動軸、Ｍ・・・モータユニット、
１０１・・・制御部、１０１１・・・判定機能、１０２・・・扉開閉コントローラ、１０３・・・キー記憶部、１０４・・・インターフェース部、１０５・・・演出コントローラ、１０５１・・・サウンド、１０５２・・・発光器、１０６・・・電源部、
２１，２１ａ，２１ｂ・・・ＰＣ、
２２・・・携帯電話機、
２３・・・ゲーム機、２３１・・・暗号記憶部、２３２・・・進行状況管理部、２３３・・・進行状況判定部、２３４・・・暗号情報出力部、
３・・・サーバ。
【図１】
2005264468.tif 000003
【図２】
2005264468.tif 000004
【図３】
2005264468.tif 000005
【図４】
2005264468.tif 000006
【図５】
2005264468.tif 000007
【図６】
2005264468.tif 000008
【図７】
2005264468.tif 000009
【図８】
2005264468.tif 000010
【図９】
2005264468.tif 000011
【図１０】
2005264468.tif 000012
【図１１】
2005264468.tif 000013
【図１２】
2005264468.tif 000014
【図１３】
2005264468.tif 000015
【図１４】
2005264468.tif 000016
【図１５】
2005264468.tif 000017
【図１６】
2005264468.tif 000018